(57)【要約】  ビデオ・エンコーダ（３００）および方法を開示する。高解像度ビデオ画像を受信し、圧縮された高解像度スケーラブル・ビットストリームと標準解像度ビットストリームを供給するエンコーダは、標準解像度エンコーダ（３１２）と、標準解像度エンコーダに結合され、受信した高解像度シーケンスを表す信号と、受信して標準解像度にしたシーケンスを表す信号とを選択する選択器（３４６）と、選択器に結合され、高解像度スケーラブルビットストリームを発生する高解像度エンコーダ（３４８）と、を具える。
2007525067.tif 000002
【特許請求の範囲】
【請求項１】
高解像度のビデオ・シーケンスを受信し、標準解像度のビットストリームおよび高解像度のスケーラブル・ビットストリームを供給する空間スケーラブル・ビデオ・エンコーダ（３００）であって、
受信したシーケンスに応答する、標準解像度のエンコーダ（３１２）と、
標準解像度エンコーダ（３１２）に結合され、受信した高解像度シーケンスを表す信号と、受信して標準解像度にしたシーケンスを表す信号とを選択する選択器（３４６）と、
選択器（３４６）に結合され、高解像度スケーラブル・ビットストリームを供給する高解像度エンコーダ（３４８）と、から成る、前記空間スケーラブル・ビデオ・エンコーダ（３００）。
【請求項２】
標準解像度エンコーダ（３１２）に結合され、受信したビデオ・シーケンスに応答する標準解像度イントラ（ｉｎｔｒａ）デコーダ（３２２）を更に具える、請求項１記載のエンコーダ。
【請求項３】
高解像度エンコーダがノン‐スケーラブルである、請求項１記載のエンコーダ。
【請求項４】
標準解像度エンコーダに結合される、Ｉピクチャの指標（ｉｎｄｉｃａｔｏｒ）とＩスライスの指標のうち少なくとも１つを具える、請求項１記載のエンコーダ。
【請求項５】
標準解像度エンコーダがノン‐スケーラブルである、請求項１記載のエンコーダ。
【請求項６】
標準解像度エンコーダに結合されるダウンサンプラ（３１０）と、
標準解像度イントラ・エンコーダに結合されるアップサンプラ（３３０）と、を更に具える、請求項２記載のエンコーダ。
【請求項７】
標準解像度エンコーダ（３１２）に結合される、標準解像度フレーム・ストア（３１４）を更に具える、請求項１記載のエンコーダ。
【請求項８】
標準解像度イントラ・デコーダと選択器との間に結合される加算装置（３４２）を更に具える、請求項２記載のエンコーダ。
【請求項９】
高解像度エンコーダに結合される高解像度フレーム・ストア（３５０）を更に具える、請求項１記載のエンコーダ。
【請求項１０】
高解像度エンコーダに結合される高解像度フレーム・ストア（３５０）と、
標準解像度イントラ・デコーダ（３２２）と高解像度フレーム・ストア（３５０）との間に結合される加算装置（３４４）と、を更に具える、請求項２記載のエンコーダ。
【請求項１１】
高解像度ビデオ画像を受信するステップと、
受信した画像を標準解像度にダウンサンプリングするステップと、
標準解像度画像がＩピクチャとして符号化されるかどうかを表示するステップと、
標準解像度画像を符号化するステップと、
符号化標準解像度画像を符号化標準解像度ビットストリーム内に出力するステップと、
符号化された標準解像度のＩピクチャを、符号化された標準解像度のビットストリームから復号化するステップと、
復号化された標準解像度のＩピクチャをアップサンプリングするステップと、
復号化されてアップサンプリングされた標準解像度のＩピクチャを高解像度ビデオ画像から差し引き、差分画像を形成するステップと、
Ｉピクチャの存在が表示されると、それに応答し、受信した高解像度ビデオ画像と差分画像とを選択するステップと、
選択した画像を高解像度で符号化するステップと、から成る、符号化された空間スケーラブル・ビデオ・データを発生する符号化方法。
【請求項１２】
高解像度ビデオ画像を、それがＩピクチャとして表示されなければ記憶するステップと、
アップサンプリングしたＩピクチャと差分画像を加算し高解像度Ｉピクチャを形成するステップと、
高解像度のＩピクチャを記憶するステップと、
記憶した少なくとも１つの画像を検索して選択した画像を、それがＩピクチャとして表示されなければ高解像度で符号化するステップと、から成る請求項１１記載の符号化方法。
【発明の詳細な説明】
【技術分野】
【０００１】
本発明はビデオ・エンコーダ／デコーダ（ＣＯＤＥＣ）に関し、特に空間スケーラブル（ｓｐａｔｉａｌ  ｓｃａｌａｂｌｅ）符号化／復号化用の装置および方法に関する。
【背景技術】
【０００２】
現在、放送ビデオ・サービス・プロバイダはＭＰＥＧ‐２を使用し、標準精細度（ＳＤ）のビデオ番組を送信する。今後は、ＪＶＴ／Ｈ．２６４／ＭＰＥＧ・ＡＶＣ（「ＪＶＴ」）規格を使用する高精細度（ＨＤ）への移行が予想される。ＭＰＥＧ‐２のＳＤ番組と、同じ番組のＪＶＴ・ＨＤバージョンとの同時放送は、スケーラブル・アプローチよりも多くの帯域幅を要するが、スケーラブル・エンコーダ／デコーダは、ノン‐スケーラブル（ｎｏｎ‐ｓｃａｌａｂｌｅ）エンコーダ／デコーダよりもコンピュータ的に著しく複雑である。
【０００３】
ＭＰＥＧ‐２とＭＰＥＧ‐４規格のスケーラビリティ・プロファイルにおいて、多数の異なるスケーラビリティ（ＳＮＲスケーラビリティ、空間スケーラビリティ、時間スケーラビリティ、微粒子スケーラビリティなど）の方法が広く研究され、標準化されている。しかしながら、スケーラブル・エンコーダ／デコーダを実行する際、かなり複雑性が増大するので、実際には、スケーラブル符号化は広く採用されていない。
【０００４】
空間スケーラブル・エンコーダ／デコーダでは、ノン・スケーラブル高解像度エンコーダ／デコーダに存在するものに加えて、高解像度のスケーラブル・エンコーダ／デコーダが機能性を提供することが求められる。ＭＰＥＧ‐２空間スケーラブル・エンコーダでは、予測を標準解像度の参照画像から行うかそれとも高解像度の参照画像から行うかを判断する。ＭＰＥＧ‐２空間スケーラブル・デコーダは、標準解像度の画像からも、あるいは高解像度の画像からも、予測できる。ＭＰＥＧ‐２空間スケーラブル・エンコーダ／デコーダによって、２組の参照画像ストアが（１組は標準解像度の画像に、別の１組は高解像度の画像に）使用される。
【０００５】
従って、同一番組のＳＤバージョンとＨＤバージョンを限られた帯域幅の接続でサポートできる、複雑性の低い空間スケーラブル・エンコーダ／デコーダが必要である。
【発明の開示】
【０００６】
（発明の概要）
これらの従来技術の欠点および不利な点は、複雑性の低い空間スケーラブル符号化のための装置および方法によって解決される。
【０００７】
高解像度ビデオを受信し、圧縮した高解像度スケーラブル・ビットストリームと標準解像度ビットストリームを発生するエンコーダは、標準解像度エンコーダ（３１２）と、標準解像度エンコーダに結合され、受信した高解像度シーケンスを表す信号と受信した標準解像度シーケンスを表す信号とを選択する選択器（３４６）と、選択器に結合され、高解像度スケーラブル・ビットストリームを供給する高解像度エンコーダ（３４８）と、を具える。
【０００８】
本発明のこれらのおよびその他の態様、特徴および利点は、添付の図面に関連して読まれる実施例についての以下の説明から明らかとなる。
【発明を実施するための最良の形態】
【０００９】
開示する本発明の実施例は、複雑性の低い、低コストの空間スケーラブル符号化／復号化の方法と装置を提供する。以下の説明で、エンコーダとデコーダは、簡略のため、集合的にＣＯＤＥＣと称されるが、方法と装置の実施例は、符号化のみ、復号化のみ、あるいは符号化と復号化の両方を行うことができる。
【００１０】
本発明の原理による、複雑性の低い空間スケーラブルＣＯＤＥＣは、ノン‐スケーラブル（ｎｏｎ‐ｓｃａｌａｂｌｅ）エンコーダ／デコーダ・ブロックを利用する。本文中および図面で、「通常／標準」という用語は、複雑性の比較的高いスケーラブルな要素／特徴と対照的に、ノン‐スケーラブル（ｎｏｎ‐ｓｃａｌａｂｌｅ）な要素／特徴を指すが、必ずしも従来の要素を意味しない。
【００１１】
本発明のこの実施例で、イントラ符号化画像（Ｉピクチャ）は、空間スケーラビリティの技術によりスケーラブルに符号化され、ノン‐イントラ符号化画像（ＰピクチャとＢピクチャ）はノン‐スケーラブルに符号化される。高解像度の入力画像は、ダウンサンプリングされ、標準解像度の画像を形成し、標準解像度の画像は、ノン‐スケーラブル・エンコーダ／デコーダで符号化され復号化される。復号化された画像はアップサンプリングされ、入力高解像度画像から差し引かれる。次に、高解像度画像とアップサンプリングされた画像との差が、ノン‐スケーラブル・エンコーダで符号化される。デコーダの終端で、ノン‐スケーラブル・デコーダを使用し、Ｉ符号化された標準解像度の画像のみが復号化され、アップサンプリングされ、復号化された高解像度の差信号に加えられ、高解像度の出力画像を形成する。Ｉ符号化されない高解像度画像は、ノン・スケーラブルに復号化される。
【００１２】
従って、本発明のこの実施例で、空間スケーラブル符号化／復号化は、Ｉピクチャ（イントラ符号化画像）またはＩスライスについてのみ実行される。スケーラブル符号化により、イントラ符号化画像（Ｉピクチャ）のサイマルキャストに比較して、著しい符号化能率の利点が得られるが、インター符号化画像（ＢおよびＰピクチャ）のために得られる利点は少ない。Ｉピクチャにのみスケーラビリティの技術を使用することにより、符号化能率の利点の多くを保持しながらも、空間スケーラブル・エンコーダとデコーダの複雑性をかなり低減させることができる。
【００１３】
本発明の原理により、スケーラビリティ可能なビデオ・エンコーダとデコーダのモジュールは必要とされない。代りに、このシステムでは、追加的機能ブロックと連係して、ノン‐スケーラブル高解像度エンコーダとデコーダとを使用することができる。標準解像度および高解像度エンコーダ／デコーダは、ＭＰＥＧ‐２、ＭＰＥＧ‐４、またはＨ．２６４といったビデオ画像圧縮規格に従う。例えば、標準解像度エンコーダ／デコーダは、規格に従うＭＰＥＧ‐２メイン・プロファイル（Ｍａｉｎ  Ｐｒｏｆｉｌｅ）であり、高解像度のエンコーダ／デコーダは、規格に従うＨ．２６４エンコーダおよびデコーダである。当業者に明らかなように、他の組合せも考慮される。
【００１４】
本発明の原理を説明する。本文中に明記されていないが、本発明の原理を具現化し且つその技術思想と範囲内に含まれる、種々の構成を創案できる
【００１５】
ここに記載の実例はすべて、教示を目的とし、当該技術推進のために発明者より寄せられる本発明の原理とコンセプトを読者が理解するのを助ける意図のものであり、特定した実例および条件に制限されないものと解釈すべきである。
【００１６】
ここに記載する本発明の原理、態様、実施例はすべて、本発明の構造上および機能上同等のものを包含する意図のものである。加えて、このような同等物には、現在知られている同等物、将来開発される同等物（構造に関りなく、同じ機能を実行するあらゆる要素）が含まれる。
【００１７】
従って、ここに示したブロック図は、本発明の原理を具現化する例示的回路の概念図を表すことが当業者に理解される。同様に、フローチャート、流れ図、状態遷移図、擬似コードなどは、コンピュータで読み出されるメディア内に表され且つコンピュータまたはプロセッサで実行される種々のプロセスを（そのようなコンピュータまたはプロセッサが明示されていると否とに関りなく）表す。
【００１８】
図示する種々の要素の機能は、専用のハードウェア、および該当するソフトウェアを実行できるハードウェアを使用して供給される。これらの機能は、プロセッサによって供給されるとき、単一の専用プロセッサによって、単一の共有プロセッサによって、あるいは複数の個々のプロセッサ（そのうち幾つかは、共有される）によって、供給される。更に、「プロセッサ」または「コントローラ」という用語は、ソフトウェアを実行できるハードウェアのみを指すのではなく、ディジタル信号プロセッサ（ＤＳＰ）、ハードウェア、ソフトウェアを記憶する読出し専用メモリ（ＲＯＭ）、ランダムアクセス・メモリ（ＲＡＭ）、および非揮発性記憶装置も含まれる。
【００１９】
他のハードウェア（従来の、または注文による）も含まれる。同様に、図に示すスイッチは概念的なものにすぎない。それらの機能は、プログラム・ロジックの動作により、専用のロジックにより、プログラム・コントロールと専用ロジックの相互作用により、あるいは手動により実行され、その特定の技術は、文脈から明確に理解されるように、実施者によって選択可能である。
【００２０】
本発明の特許請求の範囲において、特定の機能を実行する手段として表される要素は、その機能を実行する方法を包含し、例えば、ａ）その機能を実行する回路要素の組合せ、あるいはｂ）その機能を実行するためにソフトウェアを実行して該当する回路と組み合わされる、ファームウェア、マイクロコードなど、あらゆる形態のソフトウェアが含まれる。そのような特許請求の範囲で限定される本発明は、記載される種々の手段が組み合わされて、特許請求の範囲で要求するように統合されることに存する。出願人はそのような機能を供給できる如何なる手段をも、特許請求の範囲に示されるものと同等のものと見なす。
【００２１】
図１に、２つの層をサポートする標準複雑性（ｓｔａｎｄａｒｄ‐ｃｏｍｐｌｅｘｉｔｙ）空間スケーラブル・エンコーダを全体として参照番号１００で示す。エンコーダ１００はダウンサンプラ１１０を具える。ダウンサンプラ１１０は、高解像度入力ビデオ・シーケンスを受信する。ダウンサンプラ１１０は、標準解像度ノン‐スケーラブル（通常）・エンコーダ１１２に結合され、エンコーダ１１２は、標準解像度フレーム・ストア（記憶装置）１１４に結合される。標準解像度ノン‐スケーラブル（通常）・エンコーダ１１２は標準解像度ビットストリームを出力し、更に、標準解像度ノン‐スケーラブル（通常）・デコーダ１２０に結合される。
【００２２】
標準解像度ノン‐スケーラブル（通常）・デコーダ１２０はアップサンプラ１３０に結合され、アップサンプラ１３０はスケーラブル高解像度エンコーダ１４０に結合される。スケーラブル高解像度エンコーダ１４０は高解像度入力ビデオ・シーケンスを受信し、高解像度フレーム・ストア１５０に結合され、高解像度スケーラブル・ビットストリームを出力する。
【００２３】
従って、高解像度入力ビデオ・シーケンスは、標準複雑性エンコーダ１００で受信され、ダウンサンプリングされ、標準解像度ビデオ・シーケンスを形成する。標準解像度ビデオ・シーケンスは、ノン‐スケーラブル標準解像度ビデオ圧縮エンコーダで符号化され、標準解像度ビットストリームを形成する。標準解像度ビットストリームは、ノン‐スケーラブル標準解像度ビデオ圧縮デコーダで復号化される。この機能はエンコーダの内部で実行される。復号化された標準解像度シーケンスはアップサンプリングされ、スケーラブル高解像度エンコーダへの２つの入力のうちの１つとして供給される。スケーラブル高解像度エンコーダはそのビデオ画像を復号化し、高解像度スケーラブル・ビットストリームを形成する。
【００２４】
図２に、２つの層をサポートする標準複雑性空間スケーラブル・デコーダを全体として参照番号２００で示す。空間スケーラブル・デコーダ２００は標準解像度デコーダ２６０を具え、デコーダ２６０（標準解像度フレーム・ストア２６２に結合される）は、標準解像度ビットストリームを受信し、標準解像度ビデオ・シーケンスを出力する。標準解像度デコーダ２６０は更に、アップサンプラ２７０に結合され、アップサンプラ２７０は、スケーラブル高解像度デコーダ２８０に結合される。
【００２５】
スケーラブル高解像度デコーダ２８０は更に、高解像度フレーム・ストア２９０に結合される。スケーラブル高解像度デコーダ２８０は、高解像度スケーラブル・ビットストリームを受信し、高解像度ビデオ・シーケンスを出力する。
【００２６】
従って、高解像度スケーラブル・ビットストリームと標準解像度ビットストリームの両方が標準複雑性デコーダ２００で受信される。標準解像度ビットストリームは、標準解像度フレーム・ストアを利用するノン‐スケーラブル標準解像度ビデオ圧縮デコーダで復号化される。復号化された標準解像度のビデオ画像はアップサンプリングされてから、高解像度スケーラブル・デコーダに入力される。高解像度スケーラブル・デコーダは、１組の高解像度フレーム・ストアを利用して、高解像度出力ビデオ・シーケンスを形成する。
【００２７】
図３に、２つの層をサポートする低複雑性の空間スケーラブル・エンコーダを、全体として参照番号３００で示す。エンコーダ３００はダウンサンプラ３１０を具え、高解像度入力ビデオ・シーケンスを受信する。ダウンサンプラ３１０は標準解像度ノン‐スケーラブル・エンコーダ３１２に結合され、エンコーダ３１２は標準解像度のフレーム・ストア３１４に結合される。標準解像度エンコーダ３１２は標準解像度のビットストリームを出力し、更に、標準解像度ノン‐スケーラブル・イントラ・デコーダ３２２に結合される。
【００２８】
ノン‐スケーラブル標準解像度イントラ・デコーダ３２２はアップサンプラ３３０に結合され、アップサンプラ３３０は、第１の加算装置３４２の反転入力および第２の加算装置３４４の非反転入力に結合される。第１の加算装置３４２は、高解像度入力ビデオ・シーケンスを受信する非反転入力を有し、そして選択器３４６に結合される出力を有する。選択器３４６は、高解像度入力ビデオ・シーケンスを受信する入力を有すると共に標準解像度ノン‐スケーラブル・エンコーダ３１２からＩスライス／Ｉピクチャの指標を受信する第３の入力を有する。選択器３４６はノン‐スケーラブル高解像度エンコーダ３４８に結合される。ノン‐スケーラブル高解像度エンコーダ３４８は、高解像度スケーラブル・ビットストリームを出力し、加算装置３４４の非反転入力に結合される。ノン‐スケーラブル高解像度エンコーダ３４８は更にフレーム・ストア３５０に結合される。フレーム・ストア３５０は加算装置３４４の出力に結合される。
【００２９】
従って、低複雑性の空間エンコーダの実施例３００は、高解像度入力ビデオ・シーケンスを受信する。このシーケンスはダウンサンプリングされ、標準解像度ビデオ・シーケンスを生じる。標準解像度ビデオ・シーケンスは、ノン‐スケーラブル標準解像度エンコーダで符号化されて、標準解像度のビットストリームを形成する。イントラ符号化された画像（Ｉピクチャ）は、ノン‐スケーラブル標準解像度デコーダで復号化される。あるいは、この機能はエンコーダ自体の内部の補助的機能として実行される。復号化された標準解像度のＩピクチャは、アップサンプリングされ、そして入力ビデオ画像から差し引かれる。オプションとして、オフセット値（例えば、１２８）がこの差に加えられ、［０、２５５］の範囲内に画素値を維持する。これらの差分画像は次に、ノン‐スケーラブル高解像度ビデオ圧縮エンコーダに入力される。復号化されアップサンプリングされた標準解像度のＩピクチャは、オプションのオフセットと共に、符号化された高解像度の差信号に加えられてから、高解像度フレーム・ストアに記憶される。これにより、その後のＰピクチャおよびＢピクチャのノン‐スケーラブル符号化に正確な参照画像が使用される。ノン‐Ｉピクチャ（ＰピクチャとＢピクチャ）については、入力ビデオ・シーケンスの画像は、ノン‐スケーラブル高解像度ビデオ・エンコーダに入力され、ノン‐スケーラブルに符号化される。
【００３０】
図４に、２つの層をサポートする、低複雑性の空間スケーラブル・デコーダを全体として参照番号４００で示す。低複雑性空間スケーラブル・デコーダ４００は、Ｉピクチャ検出器／選択器４６４を具え、標準解像度のビットストリームを受信し、このビットストリームは標準解像度のイントラ・デコーダ４６６に結合される。標準解像度イントラ・デコーダ４６６はアップサンプラ４７０に結合され、アップサンプラ４７０は加算装置４８４の第１の非反転入力に結合される。標準解像度イントラ・デコーダ４６６は更に、選択器４８６の第１の入力に結合され、イントラ符号化用の指標を選択器４８６に供給する。
【００３１】
低複雑性の空間スケーラブル・デコーダ４００は更に、ノン‐スケーラブル高解像度デコーダ４８２を具え、高解像度スケーラブル・ビットストリームを受信する。高解像度デコーダ４８２は、加算装置４８４の第２の非反転入力と、選択器４８６の第２の入力と、高解像度フレーム・ストア４９０に結合される。加算装置４８４は、選択器４８６の第３の入力に結合される出力を有する。選択器４８６は、高解像度ビデオ・シーケンスを出力し、高解像度フレーム・ストア４９０に結合される。
【００３２】
従って、低複雑性空間スケーラブル・デコーダの実施例４００はＩピクチャ選択器／検出器を具え、受信した標準解像度のビットストリームを検索し、ノン（非）Ｉピクチャの符号化されたデータをすべて除去する。ビットストリーム内の画像開始コードを検索し、ピクチャ・ヘッダから画像符号化のタイプを復号化することにより、Ｉピクチャのデータが識別され、ノン‐スケーラブル標準解像度イントラ・デコーダはそのＩピクチャ・データを復号化する。このような、イントラ画像（Ｉピクチャ）のみのデコーダは、フル・ビデオ圧縮デコーダよりも複雑性がかなり低く、標準解像度の参照フレーム・ストアを必要としない。復号化された標準解像度のイントラ画像はアップサンプリングされる。
【００３３】
高解像度のスケーラブル・ビットストリームは、ノン‐スケーラブル高解像度デコーダに入力される。ノン‐Ｉピクチャに対して、その出力が出力高解像度ビデオ・シーケンスとして選択される。Ｉピクチャに対して、その復号化された高解像度の出力は、復号化されアップサンプリングされた標準解像度のＩピクチャに加えられ、このＩピクチャは選択されて、高解像度の出力ビデオ・シーケンスを形成する。スケーラブルＩピクチャに対して、ノン‐スケーラブル高解像度デコーダの出力ではなくむしろ、高解像度ビデオ画像の出力が参照フレーム・ストアに記憶される。
【００３４】
このブロック図で、ノン‐スケーラブル高解像度デコーダと標準解像度イントラ・デコーダは別個に示されているが、１個の多機能デコーダで両機能を実行することもできる。一般に、イントラ復号化は、インター復号化よりもずっと複雑性が低いので、汎用プロセッサを使用すれば、高解像度のＩピクチャの復号化に必要とされる期間中に、標準解像度のＩピクチャの復号化と高解像度のＩピクチャの復号化とを両方実行できる。
【００３５】
Ｈ．２６４ビデオ符号化規格で、同一画像内の個々のスライスは異なるタイプの予測で符号化される。１つの画像にはＩスライスとＰスライスの両方が含まれる。本発明で、もし高解像度と標準解像度の符号化の両方にＨ．２６４が使用されると、スケーラビリティは、ＩピクチャよりむしろＩスライスについて実行され、アップサンプリングされた標準解像度画像のＩスライスに対応するマクロブロックもＩスライスとして符号化することが要求される。この実施例で、Ｉピクチャ検出器／選択器はＩスライス検出器／選択器となる。
【００３６】
もし、ＭＰＥＧ‐２、または同一画像内のすべてのスライスが同じタイプの予測で符号化されることを要求する別の符号化規格が標準解像度の層に使用され、Ｈ．２６４が高解像度の層に使用されるときは、スケーラビリティを適用すべきか否かの選択は、標準解像度の層に使用される画像符号化のタイプに依存する。たとえ、対応するＭＰＥＧ‐２標準解像度の層がＩピクチャでなくても、Ｉスライスが高解像度Ｈ．２６４層において符号化されるが、スケーラビリティは適用されない。
【００３７】
当業者に知られるように、アップサンプラとダウンサンプラの機能に、双一次補間、マルチ‐タップ補間、デシメーション（ｄｅｃｉｍａｔｉｏｎ）フィルタなど、種々の方法を使用することができる。
【００３８】
例えば、高解像度ビデオ・シーケンス画像が１６：９のアスペクト比を、標準解像度シーケンス画像が４：３のアスペクト比を有するなら、高解像度ビデオ・シーケンス画像には、標準解像度ビデオ・シーケンス画像で表されないデータを含んでいる。その場合、アップサンプリング機能は、標準解像度の画像内に存在する画素に対応しない画素について、アップサンプリング機能はゼロ値に設定される。
【００３９】
本発明のこれらのおよび他の特徴および利点は、本文における教示に基づいて当業者に容易に確かめられる。本発明の原理は種々の形態のハードウェア、ソフトウェア、ファームウェア、特殊目的のプロセッサ、またはそれらを組み合わせて実行できる。
【００４０】
本発明の原理は、ハードウェアとソフトウェアを組み合わせて実行されるのが最も好ましい。更に、ソフトウェアは、プログラム記録装置上で具現化されるアプリケーション・プログラムとして実行されるのが好ましい。アプリケーション・プログラムは、適当なアーキテクチャから成るマシンにアップロードされ、マシンで実行される。マシンは、中央処理装置（ＣＰＵ）、ランダムアクセス・メモリ（ＲＡＭ）、および入力／出力（Ｉ／Ｏ）インタフェースのようなハードウェアを有するコンピュータ・プラットフォーム上で実行される。コンピュータ・プラットフォームにはオペレーティング・システムとマイクロインストラクション・コードも含まれる。本文中に記述する種々のプロセスおよび機能は、マイクロインストラクション・コードの一部、またはアプリケーション・プログラムの一部、あるいはそれらの組合せであり、これらはＣＰＵで実行される。それに加え、データ記録装置およびプリンタのような、他の種々の周辺装置もコンピュータ・プラットフォームに接続される。
【００４１】
添付する図面に描かれるシステムの構成部品および方法は、ソフトウェアで実行されるのが好ましく、システム構成部品間またはプロセスの機能ブロック間の実際の接続は、本発明がプログラムされる仕方により異なる。本文中の教示を与えられれば、当業者は本発明のこれらのおよび同様な実施または構成を考えることができる。
【００４２】
本発明は図面に関して記述されているが、本発明はこれらの実施例に限定されず、本発明の範囲または技術思想から逸脱することなく、種々の変更および修正が当業者によって実行される。このような変更および修正はすべて特許請求の範囲に記載の本発明の範囲内に含められる意図のものである。
【図面の簡単な説明】
【００４３】
【図１】複雑性の比較的高い空間スケーラブル・エンコーダのブロック図である。
【図２】複雑性の比較的高い空間スケーラブル・デコーダのブロック図である。
【図３】本発明の原理による低複雑性空間スケーラブル・エンコーダのブロック図。
【図４】本発明の原理による低複雑性空間スケーラブル・デコーダのブロック図。
【図１】
2007525067.tif 000003
【図２】
2007525067.tif 000004
【図３】
2007525067.tif 000005
【図４】
2007525067.tif 000006
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
高解像度のビデオ・シーケンスを受信し、標準解像度のビットストリームおよび高解像度のスケーラブル・ビットストリームを供給する空間スケーラブル・ビデオ・エンコーダであって、
受信したシーケンスに応答する、標準解像度のエンコーダと、
標準解像度エンコーダに結合され、受信した高解像度シーケンスを表す信号と、受信して標準解像度にしたシーケンスを表す信号とを選択する選択器と、
前記選択器に結合され、高解像度スケーラブル・ビットストリームを供給する高解像度エンコーダと、から成る、前記空間スケーラブル・ビデオ・エンコーダ。
【請求項２】
前記標準解像度エンコーダに結合され、受信したビデオ・シーケンスに応答する標準解像度イントラ・デコーダを更に具える、請求項１記載のエンコーダ。
【請求項３】
前記高解像度エンコーダがノン‐スケーラブルである、請求項１記載のエンコーダ。
【請求項４】
前記標準解像度エンコーダに結合される、Ｉピクチャの指標とＩスライスの指標のうち少なくとも１つを具える、請求項１記載のエンコーダ。
【請求項５】
前記標準解像度エンコーダがノン‐スケーラブルである、請求項１記載のエンコーダ。
【請求項６】
前記標準解像度エンコーダに結合されるダウンサンプラと、
標準解像度イントラ・エンコーダに結合されるアップサンプラと、を更に具える、請求項２記載のエンコーダ。
【請求項７】
前記標準解像度エンコーダに結合される、標準解像度フレーム・ストアを更に具える、請求項１記載のエンコーダ。
【請求項８】
前記標準解像度イントラ・デコーダと前記選択器との間に結合される加算装置を更に具える、請求項２記載のエンコーダ。
【請求項９】
前記高解像度エンコーダに結合される高解像度フレーム・ストアを更に具える、請求項１記載のエンコーダ。
【請求項１０】
前記高解像度エンコーダに結合される高解像度フレーム・ストアと、
前記標準解像度イントラ・デコーダと前記高解像度フレーム・ストアとの間に結合される加算装置と、を更に具える、請求項２記載のエンコーダ。
【請求項１１】
高解像度ビデオ画像を受信するステップと、
受信した画像を標準解像度にダウンサンプリングするステップと、
標準解像度画像がＩピクチャとして符号化されるかどうかを表示するステップと、
前記標準解像度画像を符号化するステップと、
符号化標準解像度画像を符号化標準解像度ビットストリーム内に出力するステップと、
符号化された標準解像度のＩピクチャを、符号化された標準解像度のビットストリームから復号化するステップと、
復号化された標準解像度のＩピクチャをアップサンプリングするステップと、
前記復号化されてアップサンプリングされた標準解像度のＩピクチャを前記高解像度ビデオ画像から差し引き、差分画像を形成するステップと、
Ｉピクチャの存在が表示されると、それに応答し、受信した高解像度ビデオ画像と差分画像とを選択するステップと、
選択した画像を高解像度で符号化するステップと、から成る、符号化された空間スケーラブル・ビデオ・データを発生する符号化方法。
【請求項１２】
高解像度ビデオ画像を、それがＩピクチャとして表示されなければ記憶するステップと、
アップサンプリングしたＩピクチャと差分画像を加算し高解像度Ｉピクチャを形成するステップと、
前記高解像度Ｉピクチャを記憶するステップと、
記憶した少なくとも１つの画像を検索して選択した画像を、それがＩピクチャとして表示されなければ高解像度で符号化するステップと、から成る請求項１１記載の符号化方法。
【国際調査報告】
2007525067.tif 000007
2007525067.tif 000008